(57)【要約】【課題】既存の照明器具に適用することができる人感センサユニットおよび照明器具を提供する。【解決手段】人を検知するセンサ素子３と、このセンサ素子３を内蔵する外郭４と、この外郭４に設けられ外光をセンサ素子３に入射させる受光部５と、外郭４より突出した支持体６とを備え、支持体６の先端部を取付部として照明器具に取付け、受光部５が変向するように外郭４を支持体６に対して回動可能に構成している。外郭４は略円筒状であり、受光部５は周面に設けられ、支持体６を外郭４の端部４ａの筒軸と同軸上に回動自在に取付け、かつ外郭４の回動位置を位置決めする角度調整手段を有する。【選択図】        図２
2005150030.tif 000002
【特許請求の範囲】
【請求項１】
人を検知するセンサ素子と、このセンサ素子を内蔵する外郭と、この外郭に設けられ外光を前記センサ素子に入射させる受光部と、前記外郭より突出した支持体とを備え、前記支持体の先端部を取付部とし、かつ、前記受光部が変向するように前記外郭を被取付部に対して回動可能に構成した人感センサユニット。
【請求項２】
前記外郭は略円筒状であり、前記受光部は周面に設けられ、前記支持体を前記外郭の端部の筒軸と同軸上に回動自在に取付け、かつ前記外郭の回動位置を位置決めする角度調整手段を有する請求項１記載の人感センサユニット。
【請求項３】
前記角度調整手段は、前記支持体に移動可能に設けられ前記外郭の端部に当接する角度調整部材と、前記端部と前記角度調整部材との間に構成された凹凸嵌合部とを有するものであり、前記支持体を前記外郭に形成した挿通孔に挿入した状態で前記支持体を前記外郭から抜止めする抜止め部材を有するとともに、前記角度調整部材を前記外郭の端部に押圧する弾性部材を有する請求項２記載の人感センサユニット。
【請求項４】
前記抜止め部材との間で前記角度調整部材と前記外郭の前記端部を挟持して前記外郭の回動を規制する固定具を前記支持体に有する請求項３記載の人感センサユニット。
【請求項５】
請求項1から請求項４のいずれか一項記載の人感センサユニットの支持体の先端部を器具本体の両側に取付けた照明器具。
【発明の詳細な説明】
【技術分野】
【０００１】
本発明は、人感センサユニットおよび証明器具に関するものである。
【背景技術】
【０００２】
図１０に示すように人感センサユニット１００は照明器具の器具本体１０１の前面の両側に一部露出して収納配置されている。この人感センサユニット１００は、円筒状本体を持ち、回動することにより角度を調整して使用する。
【特許文献１】特開２００３−２８１９３８号公報
【発明の開示】
【発明が解決しようとする課題】
【０００３】
しかし、ユニットの周辺部をすべて照明器具の器具本体１０１内に内蔵して使用するため、器具本体１０１を専用に設計する必要があった。
【０００４】
したがって、この発明の目的は、既存の照明器具に適用することができる人感センサユニットおよび照明器具を提供することである。
【課題を解決するための手段】
【０００５】
この発明の人感センサユニットは、人を検知するセンサ素子と、このセンサ素子を内蔵する外郭と、この外郭に設けられ外光を前記センサ素子に入射させる受光部と、前記外郭より突出した支持体とを備え、前記支持体の先端部を取付部とし、かつ、前記受光部が変向するように前記外郭を被取付部に対して回動可能に構成したものである。                  
【０００６】
上記構成において、前記外郭は略円筒状であり、前記受光部は周面に設けられ、前記支持体を前記外郭の端部の筒軸と同軸上に回動自在に取付け、かつ前記外郭の回動位置を位置決めする角度調整手段を有する。
【０００７】
上記構成において、前記角度調整手段は、前記支持体に移動可能に設けられ前記外郭の端部に当接する角度調整部材と、前記端部と前記角度調整部材との間に構成された凹凸嵌合部とを有するものであり、前記支持体を前記外郭に形成した挿通孔に挿入した状態で前記支持体を前記外郭から抜止めする抜止め部材を有するとともに、前記角度調整部材を前記外郭の端部に押圧する弾性部材を有するものである。
【０００８】
上記構成において、前記抜止め部材との間で前記角度調整部材と前記外郭の前記端部を挟持して前記外郭の回動を規制する固定具を前記支持体に有する。
【０００９】
この発明の照明器具は、上記構成の人感センサユニットの支持体の先端部を器具本体の両側に取付けたものである。
【発明の効果】
【００１０】
この発明の人感センサユニットによれば、人感センサユニットを例えば照明器具の器具側面に取り付け孔を形成して取付け固定することにより機能を発揮できるため、既存の照明器具に容易に装着可能であり、施工済みの照明器具にも追加で装着可能であり、照明器具以外にも広くさまざまな機器に取り付けが可能である。さらに支持体により器具外に突出させることにより、照明器具のカバー等を装着したまま角度の調整が可能である。
【００１１】
角度調整手段を有するため、外郭の回動位置を位置決めするため精度のよい角度調整が可能になる。
【００１２】
また抜止め部材により外郭と支持体との連結強度が大になり、外郭を持って照明器具の持ち上げが可能になるとともに、弾性部材により角度調整部材の凹凸嵌合部による嵌脱が確実にでき、角度調整がスムースにできる。さらに固定具により外郭が不用意に回動するのを防止することができる。
【発明を実施するための最良の形態】
【００１３】
この発明の第１の実施の形態を図１および図２により説明する。すなわち、この人感センサユニット２は、被取付部である照明器具１の器具本体の両側に突出して一対設けられ、照明器具１に対して回動可能にしている。各人感センサユニット２は、検知対象例えば人の有無を検知するセンサ素子３と、このセンサ素子３を内蔵する外郭４と、この外郭４に設けられ外からの光を導入させてセンサ素子３に入射させる受光部５と、外郭４に回転自在に突設された支持体６とを備えている。
【００１４】
実施の形態において、センサ素子３は支持台７に取付けられ、支持台７が外郭４内に固定される。外郭４は略円筒状であり、その側周面に受光部５が設けられている。受光部５は外光をセンサ素子３に略集光させるレンズを有するのが好ましい。支持体６は筒状例えば中空の棒状をなし、一端部が外郭４の端部で筒軸と同軸上に回転自在に連結されて突出し、例えば摩擦係止により回動が停止することにより、受光部５を回動移動可能にしている。そして支持体６の他端部を取付部として照明器具１に連結することにより、外郭４を支持体６を介して照明器具１より軸方向に突出して支持するものである。
【００１５】
照明器具１は例えば階段踊り場に設置され、図１の左側の人感センサユニット２は上階からの人の進入を検知し、右側の人感センサユニット２は下階からの人の進入を検知するように受光部５を向けて配置する。照明器具１は既存のものでもよい。またセンサ素子３の支持台７には制御回路を設けてもよいし、制御回路は照明器具１の器具本体内に設けてもよい。さらに外郭４内と照明器具１との間の配線は支持体６の内部を通してもよい。なお、支持体６を照明器具１に回動自在に取付け、外郭４と支持体６を一体にしてもよい。
【００１６】
第１の実施の形態によれば、既存の照明器具１に例えば孔を形成して支持体６を取付けることにより、人感センサ付照明器具とすることができる。
【００１７】
この発明の第２の実施の形態を図３により説明する。すなわち、第１の実施の形態において、外郭４の回動位置を位置決めする角度調整手段９を有する。角度調整手段９は外郭４の支持体６が突出する端部４ａと、支持体６に設けられ端部４ａに当接する角度調整部材１１と、これらの間に構成されて外郭４の回動角度を位置決めする凹凸嵌合部１３とで構成されている。凹凸嵌合部１３は端部４ａの、支持体６の軸心を中心とする円周上に形成した複数の凹部１０ａ〜１０ｄと、角度調整部材１１に形成し凹部１０ａ〜１０ｄのいずれかに嵌合する凸部１２とで構成されている。この場合、端部４ａは外郭４の周壁の端部より内側に凹むように設けられ、板状の角度調整部材１１がその凹み内に収納されるようにしている。外郭４を支持体６に対して回動することにより凹部１０ａ〜１０ｄのいずれかに嵌合している凸部１２を凹部１０ａ〜１０ｄの別のものに嵌合させる。これにより外郭４は支持体６に対して第１の実施の形態のように摩擦係止することなく、外郭４の側周壁の内側に沿って固定することにより、角度調整時のピッチを大きくとることができ、受光部５の変向が容易にでき、精度の高い確実な角度調整が可能である。
【００１８】
なお、外郭４と角度調整部材１１は凹凸嵌合部１３を構成すればよいので、外郭４の端部４ａに凸部１２を形成し、角度調整部材１１に凹部１０ａ〜１０ｄを形成してもよい。
【００１９】
この発明の第３の実施の形態を図４により説明する。第２の実施の形態において、角度調整部材１１を外郭４内に位置し、端部４ａの内面に当接している。この場合、端部４ａの中心に支持体６を挿通する挿通孔１６を形成し、角度調整部材１１の中心に貫通孔を形成している。また凹凸嵌合部１３の凹部１０ａ〜１０ｄは端部４ａの内面に形成している。支持体６の先端部に細径のねじ部６ａを形成し、ねじ部６ａより軸方向の中心側にずれた位置に外郭４の端部４ａの外面が当たるつば１４を設けている。角度調整部材１１の貫通孔はねじ部６ａに挿通可能としている。ねじ部６ａを挿通孔１６に通して端部４ａの外面をつば１４に当接し、ねじ部６ａの先端より角度調整部材１１の貫通孔を通し、ナット１５をねじ部６ａの先端に締めつけることにより角度調整部材１１をねじ部６ａの付根に締付け固定し、凸部１２を凹部１０ａ〜１０ｄのいずれかに嵌合させて固定する。外郭４は凹部１０ａ〜１０ｄのピッチで回動可能となる。
【００２０】
この発明の第４の実施の形態を図５により説明する。第２または第３の実施の形態において、支持体６のねじ部６ａの両側面に切削等により平面部６ｂを切欠き形成し、角度調整部材１１の貫通孔１１ａをねじ部６ａの平面部６ｂを含む断面形状に相似な形状に形成し、角度調整部材１１をねじ部６ａに挿通したとき、角度調整部材１１が支持体６に対して回転しないようしている。この場合、支持体６に平面部６ｂの形成によるセンサ線の通線スペースを確保するため、平面部６ｂを形成するための支持体６の切削量は最小限とする。これにより、角度調整部材１１を支持体６に直接固定せず、角度調整部材１１の貫通孔１１ａをねじ部６ｂに貫通すると、角度調整部材１１が回転しないので、組立容易にすることができる。
【００２１】
一方、角度調整部材１１は支持体６を挿通する貫通孔１１ａの縁部に立上り部１１ｂを折曲し、これを支持体６の平面部１１ｂに当接させている。これにより支持体６に対して回転しないとともに、支持体６に押付けられる荷重を受け止めることかでき、角度調整部材１１の板厚ではまかなえない強度を確保でき、角度調整部材１１のぶれ（矢印）を抑え、端部４ａと角度調整部材１１を当接させることにより、図１１（ｄ）に示すように支持体６に対して外郭４が傾くのを防止でき直線性を確保できる。
【００２２】
なお、角度調整部材１１は第２、第３の実施の形態のように端部４ａの外面または内面のいずれに当接してもよい。
【００２３】
この発明の第５の実施の形態を図６により説明する。第３の実施の形態で述べたように、支持体６は先端にねじ部６ａを設け、その両側に平面部６ｂを形成している。角度調整部材１１はねじ部６ａの平面部６ｂを含む断面形状に形成された形状の貫通孔１１ａを中心に形成し、表面に凸部１２を形成している。外郭４は端部４ａの外面に凸部１２が嵌合する凹部１０ａ〜１０ｄを形成し、中心にねじ部を遊嵌する挿通孔１６を形成している。角度調整部材１１をねじ部６ａの根元まで挿通し、ねじ部６ａを挿通孔１６に挿通し外郭４内から抜止め部材であるナット１５をねじ込み、角度調整部材１１を端部４ａに当接して凹部１０ａ〜１０ｄのいずれかに凸部１２を嵌合させる。したがって、ナット１５により外郭４にかかる荷重を受け止めることができる。また支持体６を照明器具１に取付け固定して外郭４を回動すると角度調整部材１１は平面部６ｂに係止して回転しないので、外郭４の凹部１０ａ〜１０ｄから凸部１２が離れ別の凹部に嵌合して固定される。
【００２４】
図６（ｃ）は抜止め部材としてナット１５およびねじ部６ａのねじ山がない代わりに、支持体６の端部に弾力のある抜止め爪２０を設け、挿通孔１６に挿通することにより抜止め爪２０を端部４ａの内面に係止している。ただし、図６（ｂ）と比べて荷重の受け止め力は小さい。なお抜止め部材は金具が好ましい。
【００２５】
この発明の第６の実施の形態を図７により説明する。第５の実施の形態において、ナット１５と外郭４の端部４ａとの間に弾性部材２１、例えば板ばね、ゴムワッシャ等を介在している。この実施の形態によれば、弾性部材２１があることにより、角度調整部材１１の凸部１２が凹部１０ａ〜１０ｄ間をスムースに移動できるので、角度調整が円滑にできるとともにナット１５の位置のばらつきを吸収しながら凹凸嵌合に押圧力を与えることができ、凹凸嵌合を確実にできる。
【００２６】
図（ｃ）は弾性部材２１をねじ部６ａの付根と角度調整部材１１との間に介在している。この場合、弾性部材１１が受け止める面積が小さいのでばらつき吸収は小さい。
【００２７】
この発明の第７の実施の形態を図８により説明する。第６の実施の形態において、角度調整部材１１を外郭４の端部４ａの内側に設けたものである。この場合、支持体６に外郭４の端部４ａが当接するつば１４を形成し、弾性部材２１をナット１５と角度調整部材１１との間に介在している。ナット１５を締めつけると、弾性部材２１を介して角度調整部材１１が端部４ａに押付けられ、端部４ａがつば１４に係止する。したがって、外郭４を回動すると凸部１２が凹部１０ａ〜１０ｄの１つから押し出され、つぎの凹部に嵌合し、このとき角度調整部材１１の動きを弾性部材２１で吸収する。
【００２８】
図８（ｂ）は弾性部材２１をつば１４と端部４ａとの間に介在している。この場合、外郭４を回動すると端部４ａが弾性部材２１を押して凸部１２が凹部１０ａ〜１０ｄのいずれかから別の凹部に嵌合する。
【００２９】
この発明の第８の実施の形態を図９により説明する。第６の実施の形態において、固定具２３を追加し、抜止め部材例えばナット１５との間で角度調整部材１１と外郭４の端部４ａを挟持して、外郭４の回動を規制する例えば金具製の固定具２３を支持体６に有する。この固定具２３は支持体６に外嵌する筒部２４と、ねじ２５とを有し、支持体６のねじ部６ａの近傍に凹部２６を形成している。筒部２４は一端が開口し、その開口端につば２７を設け、周面にねじ孔２８を形成している。ねじ２５をねじ孔２８に螺通し、図９（ａ）から図９（ｂ）に示すように支持体６に沿って筒部２４をスライドしつば２７を角度調整部材１１に押しつけ、ねじ２５の先端が凹部２６に整合した位置で、ねじ２５の先端を凹部２６に係合する。これにより凸部１２が凹部１０ａ〜１０ｄを乗り越えることができないので外郭４が回転することができず、外郭４の回動角度が固定される。すなわち、固定具２３が支持体６に固定された状態にある時には外郭４は固定され、固定具２３が支持体６に固定されていない状態にあるときには角度調整部材１１により外郭４が所定の角度に回転できる。
【００３０】
なお、この実施の形態は、角度調整部材１１が端部４ａの内側に位置する場合にも適用可能である。
【図面の簡単な説明】
【００３１】
【図１】この発明の第１の実施の形態の斜視図である。
【図２】（ａ）は人感センサユニットの斜視図、（ｂ）はその断面図である。
【図３】第２の実施の形態の角度調整部材を外した状態の斜視図である。
【図４】第３の実施の形態の断面図である。
【図５】第４の実施の形態を示し、（ａ）は支持体と角度調整部材との関係を示す側面図、（ｂ）は角度調整部材の斜視図、（ｃ）は支持体の部分斜視図、（ｄ）は人感センサユニットの外郭が傾斜した状態の斜視図である。
【図６】（ａ）は第５の実施の形態の分解断面図、（ｂ）はその結合状態の断面図、（ｃ）は変形形態の分解断面図である。
【図７】（ａ）は第６の実施の形態の断面図、（ｂ）は斜視図、（ｃ）は変形形態の断面図である。
【図８】（ａ）は第７の実施の形態の断面図、（ｂ）は変形形態の断面図である。
【図９】（ａ）は第８の実施の形態の固定具を外した状態の断面図、（ｂ）は固定具で固定した状態の断面図である。
【図１０】従来例の斜視図である。
【符号の説明】
【００３２】
１  照明器具
２  人感センサユニット
３  センサ素子
４  外郭
４ａ  端部
５  受光部
６  支持体
６ａ  ねじ部
６ｂ  平面部
９  角度調整手段
１０ａ〜１０ｄ  凹部
１１  角度調整部材
１２  凸部
１４  つば
１５  ナット
１６  挿通孔
２０  抜止め爪
２１  弾性部材
２３  固定具
【図１】
2005150030.tif 000003
【図２】
2005150030.tif 000004
【図３】
2005150030.tif 000005
【図４】
2005150030.tif 000006
【図５】
2005150030.tif 000007
【図６】
2005150030.tif 000008
【図７】
2005150030.tif 000009
【図８】
2005150030.tif 000010
【図９】
2005150030.tif 000011
【図１０】
2005150030.tif 000012